【手続補正書】
【提出日】令和3年11月22日(2021.11.22)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信の方法であって、
前記ＵＥによる送信への人間のばく露に関連付けられた最大許容ばく露（ＭＰＥ）の測定のための使用に利用可能なセル固有リソースのインジケーションを受信することと、
前記セル固有リソースに基づいて前記測定を実行することと、
測定値が閾値を満たすかどうかに基づいて、前記ＵＥの送信特性を調整するかどうかを決定することと
を備える、方法。
【請求項２】
前記セル固有リソースは、システムギャップ内に包含される、請求項１に記載の方法。
【請求項３】
前記セル固有リソースは、アップリンクセル固有リソースを備える、請求項１に記載の方法。
【請求項４】
前記セル固有リソースは、ランダムアクセスチャネル（ＲＡＣＨ）リソース、ビーム障害回復リソース、又はスケジューリング要求（ＳＲ）リソースのうちの少なくとも１つを備える、請求項１に記載の方法。
【請求項５】
前記ＵＥは、ダウンリンク経路損失値に基づいて、前記測定のための送信電力を決定する、請求項４に記載の方法。
【請求項６】
前記ＵＥは、ＲＡＣＨリソースリスニング方向に基づいて、前記測定を実行するための少なくとも１つのサブアレイをスケジュールする、請求項４に記載の方法。
【請求項７】
前記ＵＥは、以前のＲＡＣＨリソース中で受けられた干渉電力に基づいて、前記測定を行うかどうかを決定する、請求項４に記載の方法。
【請求項８】
前記セル固有リソースは、前記ＲＡＣＨリソースを備え、前記ＲＡＣＨリソースは、複数のサブリソースを備え、各サブリソースは、同期信号（ＳＳ）バーストセット内の異なるＳＳブロックに対応し、前記ＲＡＣＨリソースの持続時間は、スロット内のシンボルの少なくとも１つのサブセットを備え、前記ＵＥは、ＳＳブロックを選択し、前記選択されたＳＳブロックのための対応するＲＡＣＨサブリソースに基づいて、前記測定を実行し、前記ＵＥは、低減された信号強度を有するＳＳブロックを選択する、請求項４に記載の方法。
【請求項９】
前記セル固有リソースが前記測定のために使用され得るという第２のインジケーションをネットワークから受信すること、又は、
前記セル固有リソースが前記測定のために使用されないことがあるという第２のインジケーションをネットワークから受信すること
を更に備える、請求項１に記載の方法。
【請求項１０】
前記インジケーションは、前記測定のために前記セル固有リソースを使用する能力を示し、前記インジケーションは、マスタ情報ブロック（ＭＩＢ）、他のシステム情報、媒体アクセス制御（ＭＡＣ）制御要素（ＣＥ）、ダウンリンク制御情報（ＤＣＩ）、無線リソース制御（ＲＲＣ）メッセージのうちの少なくとも１つ中に、又は異なるキャリアからのメッセージ中にパラメータを備え、前記インジケーションは、前記測定のための前記セル固有リソースの前記使用に対して制限を課し、前記異なるキャリアは、ロングタームエボリューション（ＬＴＥ）キャリア又は５Ｇサブ６キャリアを備える、請求項１に記載の方法。
【請求項１１】
基地局から前記測定のためのライズオーバサーマル閾値を受信することと、
前記測定のための送信が基地局において受信され得る最大受信電力を受けることと、
基地局から前記測定のためのスケジュールされた期間を受信することと
を更に備える、請求項１に記載の方法。
【請求項１２】
前記セル固有リソースは、既存のリソース機会を備え、前記既存のリソース機会は、スケジュールされていないアップリンクリソース及びダウンリンク送信とアップリンク送信との間のギャップのうちの少なくとも１つを備える、請求項１に記載の方法。
【請求項１３】
前記測定値が前記閾値を満たすときに、前記ＵＥの前記送信特性を調整することと、ここにおいて、前記送信特性は、送信電力、送信方向、アンテナアレイ選択、又はアンテナモジュール選択のうちの少なくとも１つを備える、
基地局に前記送信特性の調整を示すことと
を更に備える、請求項１に記載の方法。
【請求項１４】
前記セル固有リソースは、ランダムアクセスチャネル（ＲＡＣＨ）リソースとデータリソース若しくは制御リソースとの間、又は周波数ドメイン中の２つのＲＡＣＨリソース間にガードトーンを含む、請求項１に記載の方法。
【請求項１５】
前記セル固有リソースは、ダウンリンクリソースを備え、前記セル固有リソースは、少なくとも１つの同期信号（ＳＳ）リソースを備え、前記ＵＥは、前記ユーザ機器が信号を検出しなかったＳＳブロックに基づいて、前記測定を実行する、請求項１に記載の方法。
【請求項１６】
前記ＵＥは、基地局からのアップリンク許可に基づいて、前記セル固有リソース中で前記測定を実行し、前記ＵＥは、前記基地局が同じリソース中で前記ＵＥへのいかなるアップリンクデータもスケジュールしていないときに、前記測定を実行する、請求項１に記載の方法。
【請求項１７】
ユーザ機器（ＵＥ）におけるワイヤレス通信のための装置であって、
前記ＵＥによる送信への人間のばく露に関連付けられた最大許容ばく露（ＭＰＥ）の測定のための使用に利用可能なセル固有リソースのインジケーションを受信するための手段と、
前記セル固有リソースに基づいて前記測定を実行するための手段と、
測定値が閾値を満たすかどうかに基づいて、前記ＵＥの送信特性を調整するかどうかを決定するための手段と
を備える、装置。
【請求項１８】
基地局におけるワイヤレス通信の方法であって、
ユーザ機器（ＵＥ）が前記ＵＥによる送信への人間のばく露に関連付けられた最大許容ばく露量（ＭＰＥ）測定を実行し得るセル固有リソースを構成することと、
前記ＭＰＥ測定のための前記セル固有リソースの使用を制御することと
を備える、方法。
【請求項１９】
前記セル固有リソースの使用を制御することは、アップリンクリソースが前記ＭＰＥ測定のために使用され得るというインジケーションを送信すること、又はアップリンクリソースが前記ＭＰＥ測定のために使用されないことがあるというインジケーションを送信することを含む、請求項１８に記載の方法。
【請求項２０】
前記セル固有リソースの使用を制御することは、アップリンクリソースが前記ＭＰＥ測定のために使用され得るときを統制するパラメータを設定することを含む、請求項１８に記載の方法。
【請求項２１】
前記セル固有リソースの使用を制御することは、前記ＭＰＥ測定のためのアップリンクリソースの使用に関するインジケーションを送信することを含み、前記インジケーションは、マスタ情報ブロック（ＭＩＢ）、システム情報ブロック（ＳＩＢ）、媒体アクセス制御（ＭＡＣ）制御要素（ＣＥ）、ダウンリンク制御情報（ＤＣＩ）、又は無線リソース制御（ＲＲＣ）メッセージのうちの少なくとも１つ中にパラメータを備え、前記インジケーションは、前記ＭＰＥ測定のための前記アップリンクリソースの使用を制限し、前記セル固有リソースは、ランダムアクセスチャネル（ＲＡＣＨ）リソースを備え、前記方法は、
ＲＡＣＨ負荷を測定することを更に備え、前記インジケーションは、前記ＲＡＣＨ負荷に基づいて、前記ＭＰＥ測定のための前記ＲＡＣＨリソースの使用を制限する、請求項１８に記載の方法。
【請求項２２】
前記ＭＰＥ測定のためのライズオーバサーマル閾値を構成することと、
ＭＰＥ測定のための前記ＵＥからの送信が前記基地局において受信され得る最大受信電力を構成することと
を更に備える、請求項１８に記載の方法。
【請求項２３】
前記セル固有リソースの使用を制御することは、前記ＵＥに前記ＭＰＥ測定のためのスケジュールされた期間を送信することを含み、前記ＭＰＥ測定のための前記スケジュールされた期間は、前記ＵＥのための保留中のアップリンクデータ送信に基づく、請求項１８に記載の方法。
【請求項２４】
前記ＭＰＥ測定を実行するために、複数のＵＥをグループ化すること
を更に備え、前記グループ化は、異なる経路損失を有する前記複数のＵＥに基づく、請求項１８に記載の方法。
【請求項２５】
基地局におけるワイヤレス通信のための装置であって、
ユーザ機器（ＵＥ）が前記ＵＥによる送信への人間のばく露に関連付けられた最大許容ばく露量（ＭＰＥ）測定を実行し得るセル固有リソースを構成するための手段と、
前記ＭＰＥ測定のための前記セル固有リソースの使用を制御するための手段と
を備える、装置。
【手続補正２】
【補正対象書類名】明細書
【補正対象項目名】０１０９
【補正方法】変更
【補正の内容】
【０１０９】
[00121]  先の説明は、いかなる当業者であっても、本明細書で説明された様々な態様を実施することを可能にするために提供される。これらの態様への様々な修正は、当業者にとって容易に明らかとなり、本明細書で定義された包括的な原理は、他の態様に適用され得る。このことから、特許請求の範囲は、本明細書で示された態様に限定されることを意図されないが、特許請求の範囲の文言と一致する全範囲を付与されるべきであり、ここにおいて、単数形での要素への言及は、そうであると具体的に記載されない限り、「１つ及び１つのみ」を意味することを意図されず、むしろ「１つ又は複数」を意味する。「例証的（exemplary）」という用語は、本明細書では「例、事例、又は例示としての役割を果たすこと」を意味するように使用される。「例証的」であるとして本明細書で説明されるいずれの態様も、他の態様より好ましい又は有利であるとして必ずしも解釈されるべきではない。別途具体的に記載されない限り、「いくつかの／いくらかの／何らかの（some）」という用語は、１つ又は複数を指す。「Ａ、Ｂ、又はＣのうちの少なくとも１つ」、「Ａ、Ｂ、又はＣのうちの１つ又は複数」、「Ａ、Ｂ、及びＣのうちの少なくとも１つ」、「Ａ、Ｂ、及びＣのうちの１つ又は複数」、及び「Ａ、Ｂ、Ｃ、又はそれらの任意の組み合わせ」などの組み合わせは、Ａ、Ｂ、及び／又はＣの任意の組み合わせを含み、複数のＡ、複数のＢ、又は複数のＣを含み得る。具体的には、「Ａ、Ｂ、又はＣのうちの少なくとも１つ」、「Ａ、Ｂ、又はＣのうちの１つ又は複数」、「Ａ、Ｂ、及びＣのうちの少なくとも１つ」、「Ａ、Ｂ、及びＣのうちの１つ又は複数」、及び「Ａ、Ｂ、Ｃ、又はそれらの任意の組み合わせ」などの組み合わせは、Ａのみ、Ｂのみ、Ｃのみ、ＡとＢ、ＡとＣ、ＢとＣ、又はＡとＢとＣであり得、ここで、任意のそのような組み合わせは、Ａ、Ｂ、又はＣの１つ又は複数のメンバを包含し得る。当業者に知られているか、又は後に知られることになる、この開示全体を通じて説明された様々な態様の要素に対する全ての構造的及び機能的な同等物は、参照によって本明細書に明確に組み込まれ、特許請求の範囲によって包含されることを意図される。その上、本明細書で開示されたものはいずれも、そのような開示が特許請求の範囲に明示的に記載されているかどうかにかかわらず、公に献呈されることを意図されない。「モジュール」、「メカニズム」、「要素」、「デバイス」、及び同様の用語は、「手段」という用語の代用ではないことがある。そのため、要素が「〜のための手段」というフレーズを使用して明確に記載されていない限り、どの請求項の要素もミーンズプラスファンクションとして解釈されるべきではない。
以下に本願の出願当初の特許請求の範囲に記載された発明を付記する。
［Ｃ１］
ユーザ機器（ＵＥ）におけるワイヤレス通信の方法であって、
セル固有リソースのインジケーションを受信することと、
前記セル固有リソースに基づいて測定を実行することと、
測定値が閾値を満たすかどうかに基づいて、前記ＵＥの送信特性を調整するかどうかを決定することと
を備える、方法。
［Ｃ２］
前記インジケーションは、前記セル固有リソースが最大許容ばく露量（ＭＰＥ）測定に利用可能であることを示す、Ｃ１に記載の方法。
［Ｃ３］
前記セル固有リソースは、システムギャップ内に包含される、Ｃ１に記載の方法。
［Ｃ４］
前記セル固有リソースは、アップリンクセル固有リソースを備える、Ｃ１に記載の方法。
［Ｃ５］
前記セル固有リソースは、ランダムアクセスチャネル（ＲＡＣＨ）リソース、ビーム障害回復リソース、又はスケジューリング要求（ＳＲ）リソースのうちの少なくとも１つを備える、Ｃ１に記載の方法。
［Ｃ６］
前記ＵＥは、ダウンリンク経路損失値に基づいて、前記測定のための送信電力を決定する、Ｃ５に記載の方法。
［Ｃ７］
前記ＵＥは、ＲＡＣＨリソースリスニング方向に基づいて、前記測定を実行するための少なくとも１つのサブアレイをスケジュールする、Ｃ５に記載の方法。
［Ｃ８］
前記ＵＥは、以前のＲＡＣＨリソース中で受けられた干渉電力に基づいて、前記測定を行うかどうかを決定する、Ｃ５に記載の方法。
［Ｃ９］
前記セル固有リソースは、前記ＲＡＣＨリソースを備え、前記ＲＡＣＨリソースは、複数のサブリソースを備え、各サブリソースは、同期信号（ＳＳ）バーストセット内の異なるＳＳブロックに対応する、Ｃ５に記載の方法。
［Ｃ１０］
前記ＲＡＣＨリソースの持続時間は、スロット内のシンボルの少なくとも１つのサブセットを備える、Ｃ９に記載の方法。
［Ｃ１１］
前記ＵＥは、ＳＳブロックを選択し、前記選択されたＳＳブロックのための対応するＲＡＣＨサブリソースに基づいて、前記測定を実行する、Ｃ９に記載の方法。
［Ｃ１２］
前記ＵＥは、低減された信号強度を有するＳＳブロックを選択する、Ｃ１１に記載の方法。
［Ｃ１３］
前記セル固有リソースが前記測定のために使用され得るという第２のインジケーションをネットワークから受信すること
を更に備える、Ｃ１に記載の方法。
［Ｃ１４］
前記セル固有リソースが前記測定のために使用されないことがあるという第２のインジケーションをネットワークから受信すること
を更に備える、Ｃ１に記載の方法。
［Ｃ１５］
前記インジケーションは、前記測定のために前記セル固有リソースを使用する能力を示し、前記インジケーションは、マスタ情報ブロック（ＭＩＢ）、他のシステム情報、媒体アクセス制御（ＭＡＣ）制御要素（ＣＥ）、ダウンリンク制御情報（ＤＣＩ）、無線リソース制御（ＲＲＣ）メッセージのうちの少なくとも１つ中に、又は異なるキャリアからのメッセージ中にパラメータを備え、前記インジケーションは、前記測定のための前記セル固有リソースの前記使用に対して制限を課す、Ｃ１に記載の方法。
［Ｃ１６］
前記異なるキャリアは、ロングタームエボリューション（ＬＴＥ）キャリア又は５Ｇサブ６キャリアを備える、Ｃ１５に記載の方法。
［Ｃ１７］
基地局から前記測定のためのライズオーバサーマル閾値を受信すること
を更に備える、Ｃ１に記載の方法。
［Ｃ１８］
前記測定のための送信が基地局において受信され得る最大受信電力を受けること
を更に備える、Ｃ１に記載の方法。
［Ｃ１９］
基地局から前記測定のためのスケジュールされた期間を受信すること
を更に備える、Ｃ１に記載の方法。
［Ｃ２０］
前記セル固有リソースは、既存のリソース機会を備え、前記既存のリソース機会は、スケジュールされていないアップリンクリソース及びダウンリンク送信とアップリンク送信との間のギャップのうちの少なくとも１つを備える、Ｃ１に記載の方法。
［Ｃ２１］
前記測定値が前記閾値を満たすときに、前記ＵＥの前記送信特性を調整すること
を更に備える、Ｃ１に記載の方法。
［Ｃ２２］
前記送信特性は、送信電力、送信方向、アンテナアレイ選択、又はアンテナモジュール選択のうちの少なくとも１つを備える、Ｃ２１に記載の方法。
［Ｃ２３］
基地局に前記送信特性の調整を示すこと
を更に備える、Ｃ２２に記載の方法。
［Ｃ２４］
前記セル固有リソースは、ランダムアクセスチャネル（ＲＡＣＨ）リソースとデータリソース若しくは制御リソースとの間、又は周波数ドメイン中の２つのＲＡＣＨリソース間にガードトーンを含む、Ｃ１に記載の方法。
［Ｃ２５］
前記セル固有リソースは、ダウンリンクリソースを備える、Ｃ１に記載の方法。
［Ｃ２６］
前記セル固有リソースは、少なくとも１つの同期信号（ＳＳ）リソースを備える、Ｃ２５に記載の方法。
［Ｃ２７］
前記ＵＥは、前記ユーザ機器が信号を検出しなかったＳＳブロックに基づいて、前記測定を実行する、Ｃ２６に記載の方法。
［Ｃ２８］
前記ＵＥは、基地局からのアップリンク許可に基づいて、前記セル固有リソース中で前記測定を実行する、Ｃ１に記載の方法。
［Ｃ２９］
前記ＵＥは、前記基地局が同じリソース中で前記ＵＥへのいかなるアップリンクデータもスケジュールしていないときに、前記測定を実行する、Ｃ２８に記載の方法。
［Ｃ３０］
ユーザ機器（ＵＥ）におけるワイヤレス通信のための装置であって、
メモリと、
前記メモリに結合され、
セル固有のインジケーションを受信することと、
前記セル固有リソースに基づいて測定を実行することと、
測定値が閾値を満たすかどうかに基づいて、前記ＵＥの送信特性を調整するかどうかを決定することと
を行うように構成された少なくとも１つのプロセッサと
を備える、装置。
［Ｃ３１］
前記インジケーションは、前記セル固有リソースが最大許容ばく露量（ＭＰＥ）測定に利用可能であることを示す、Ｃ３０に記載の装置。
［Ｃ３２］
前記セル固有リソースは、システムギャップ内に包含される、Ｃ３０に記載の装置。
［Ｃ３３］
前記セル固有リソースは、アップリンクセル固有リソースを備える、Ｃ３０に記載の装置。
［Ｃ３４］
前記セル固有リソースは、ランダムアクセスチャネル（ＲＡＣＨ）リソース、ビーム障害回復リソース、又はスケジューリング要求（ＳＲ）リソースのうちの少なくとも１つを備える、Ｃ３０に記載の装置。
［Ｃ３５］
前記ＵＥは、ダウンリンク経路損失値に基づいて、前記測定のための送信電力を決定する、Ｃ３４に記載の装置。
［Ｃ３６］
前記ＵＥは、ＲＡＣＨリソースリスニング方向に基づいて、前記測定を実行するための少なくとも１つのサブアレイをスケジュールする、Ｃ３４に記載の装置。
［Ｃ３７］
前記ＵＥは、以前のＲＡＣＨリソース中で受けられた干渉電力に基づいて、前記測定を行うかどうかを決定する、Ｃ３４に記載の装置。
［Ｃ３８］
前記セル固有リソースは、前記ＲＡＣＨリソースを備え、前記ＲＡＣＨリソースは、複数のサブリソースを備え、各サブリソースは、同期信号（ＳＳ）バーストセット内の異なるＳＳブロックに対応する、Ｃ３４に記載の装置。
［Ｃ３９］
前記ＲＡＣＨリソースの持続時間は、スロット内のシンボルの少なくとも１つのサブセットを備える、Ｃ３８に記載の装置。
［Ｃ４０］
前記ＵＥは、ＳＳブロックを選択し、前記選択されたＳＳブロックのための対応するＲＡＣＨサブリソースに基づいて、前記測定を実行する、Ｃ３８に記載の装置。
［Ｃ４１］
前記ＵＥは、低減された信号強度を有するＳＳブロックを選択する、Ｃ４０に記載の装置。
［Ｃ４２］
前記少なくとも１つのプロセッサは、
前記セル固有リソースが前記測定のために使用され得るという第２のインジケーションをネットワークから受信すること
を行うように更に構成される、Ｃ３０に記載の装置。
［Ｃ４３］
前記少なくとも１つのプロセッサは、
前記セル固有リソースが前記測定のために使用されないことがあるという第２のインジケーションをネットワークから受信すること
を行うように更に構成される、Ｃ３０に記載の装置。
［Ｃ４４］
前記インジケーションは、前記測定のために前記セル固有リソースを使用する能力を示し、前記インジケーションは、マスタ情報ブロック（ＭＩＢ）、他のシステム情報、媒体アクセス制御（ＭＡＣ）制御要素（ＣＥ）、ダウンリンク制御情報（ＤＣＩ）、無線リソース制御（ＲＲＣ）メッセージのうちの少なくとも１つ中に、又は異なるキャリアからのメッセージ中にパラメータを備え、前記インジケーションは、前記測定のための前記セル固有リソースの前記使用に対して制限を課す、Ｃ３０に記載の装置。
［Ｃ４５］
前記異なるキャリアは、ロングタームエボリューション（ＬＴＥ）キャリア又は５Ｇサブ６キャリアを備える、Ｃ４４に記載の装置。
［Ｃ４６］
前記少なくとも１つのプロセッサは、
基地局から前記測定のためのライズオーバサーマル閾値を受信すること
を行うように更に構成される、Ｃ３０に記載の装置。
［Ｃ４７］
前記少なくとも１つのプロセッサは、
前記測定のための送信が基地局において受信され得る最大受信電力を受けること
を行うように更に構成される、Ｃ３０に記載の装置。
［Ｃ４８］
前記少なくとも１つのプロセッサは、
基地局から前記測定のためのスケジュールされた期間を受信すること
を行うように更に構成される、Ｃ３０に記載の装置。
［Ｃ４９］
前記セル固有リソースは、既存のリソース機会を備え、前記既存のリソース機会は、スケジュールされていないアップリンクリソース及びダウンリンク送信とアップリンク送信との間のギャップのうちの少なくとも１つを備える、Ｃ３０に記載の装置。
［Ｃ５０］
前記少なくとも１つのプロセッサは、
前記測定値が前記閾値を満たすときに、前記ＵＥの前記送信特性を調整すること
を行うように更に構成される、Ｃ３０に記載の装置。
［Ｃ５１］
前記送信特性は、送信電力、送信方向、アンテナアレイ選択、又はアンテナモジュール選択のうちの少なくとも１つを備える、Ｃ５０に記載の装置。
［Ｃ５２］
前記少なくとも１つのプロセッサは、
基地局に前記送信特性の調整を示すこと
を行うように更に構成される、Ｃ５１に記載の装置。
［Ｃ５３］
前記セル固有リソースは、ランダムアクセスチャネル（ＲＡＣＨ）リソースとデータリソース若しくは制御リソースとの間、又は周波数ドメイン中の２つのＲＡＣＨリソース間にガードトーンを含む、Ｃ３０に記載の装置。
［Ｃ５４］
前記セル固有リソースは、ダウンリンクリソースを備える、Ｃ３０に記載の装置。
［Ｃ５５］
前記セル固有リソースは、少なくとも１つの同期信号（ＳＳ）リソースを備える、Ｃ５４に記載の装置。
［Ｃ５６］
前記ＵＥは、前記ユーザ機器が信号を検出しなかったＳＳブロックに基づいて、前記測定を実行する、Ｃ５５に記載の装置。
［Ｃ５７］
前記ＵＥは、基地局からのアップリンク許可に基づいて、前記セル固有リソース中で前記測定を実行する、Ｃ３０に記載の装置。
［Ｃ５８］
前記ＵＥは、前記基地局が同じリソース中で前記ＵＥへのいかなるアップリンクデータもスケジュールしていないときに、前記測定を実行する、Ｃ５７に記載の装置。
［Ｃ５９］
ユーザ機器（ＵＥ）におけるワイヤレス通信のための装置であって、
セル固有リソースのインジケーションを受信するための手段と、
前記セル固有リソースに基づいて測定を実行するための手段と、
測定値が閾値を満たすかどうかに基づいて、前記ＵＥの送信特性を調整するかどうかを決定するための手段と
を備える、装置。
［Ｃ６０］
前記インジケーションは、前記セル固有リソースが最大許容ばく露量（ＭＰＥ）測定に利用可能であることを示す、Ｃ５９に記載の装置。
［Ｃ６１］
前記セル固有リソースが前記測定のために使用され得るという第２のインジケーションをネットワークから受信するための手段
を更に備える、Ｃ５９に記載の装置。
［Ｃ６２］
前記セル固有リソースが前記測定のために使用されないことがあるという第２のインジケーションをネットワークから受信するための手段
を更に備える、Ｃ５９に記載の装置。
［Ｃ６３］
基地局から前記測定のためのライズオーバサーマル閾値を受信するための手段
を更に備える、Ｃ５９に記載の装置。
［Ｃ６４］
前記測定のための送信が基地局において受信され得る最大受信電力を受けるための手段
を更に備える、Ｃ５９に記載の装置。
［Ｃ６５］
基地局から前記測定のためのスケジュールされた期間を受信するための手段
を更に備える、Ｃ５９に記載の装置。
［Ｃ６６］
前記測定値が前記閾値を満たすときに、前記ＵＥの前記送信特性を調整するための手段
を更に備える、Ｃ５９に記載の装置。
［Ｃ６７］
前記送信特性は、送信電力、送信方向、アンテナアレイ選択、又はアンテナモジュール選択のうちの少なくとも１つを備え、前記装置は、
基地局に前記送信特性の調整を示すための手段
を更に備える、Ｃ６６に記載の装置。
［Ｃ６８］
ユーザ機器（ＵＥ）におけるワイヤレス通信のためのコンピュータ実行可能コードを記憶するコンピュータ可読媒体であって、前記コンピュータ実行可能コードは、
セル固有リソースのインジケーションを受信することと、
前記セル固有リソースに基づいて測定を実行することと、
測定値が閾値を満たすかどうかに基づいて、前記ユーザ機器の送信特性を調整するかどうかを決定することと
を行うためのコードを備える、コンピュータ可読媒体。
［Ｃ６９］
前記インジケーションは、前記セル固有リソースが最大許容ばく露量（ＭＰＥ）測定に利用可能であることを示す、Ｃ６８に記載のコンピュータ可読媒体。
［Ｃ７０］
前記セル固有リソースが前記測定のために使用され得るという第２のインジケーションをネットワークから受信すること
を行うためのコードを更に備える、Ｃ６８に記載のコンピュータ可読媒体。
［Ｃ７１］
前記セル固有リソースが前記測定のために使用されないことがあるという第２のインジケーションをネットワークから受信すること
を行うためのコードを更に備える、Ｃ６８に記載のコンピュータ可読媒体。
［Ｃ７２］
基地局から前記測定のためのライズオーバサーマル閾値を受信すること
を行うためのコードを更に備える、Ｃ６８に記載のコンピュータ可読媒体。
［Ｃ７３］
前記測定のための送信が基地局において受信され得る最大受信電力を受けること
を行うためのコードを更に備える、Ｃ６８に記載のコンピュータ可読媒体。
［Ｃ７４］
基地局から前記測定のためのスケジュールされた期間を受信すること
を行うためのコードを更に備える、Ｃ６８に記載のコンピュータ可読媒体。
［Ｃ７５］
前記測定値が前記閾値を満たすときに、前記ＵＥの前記送信特性を調整すること
を行うためのコードを更に備える、Ｃ６８に記載のコンピュータ可読媒体。
［Ｃ７６］
前記送信特性は、送信電力、送信方向、アンテナアレイ選択、又はアンテナモジュール選択のうちの少なくとも１つを備え、
基地局に前記送信特性の調整を示すこと
を行うためのコードを更に備える、Ｃ７５に記載のコンピュータ可読媒体。
［Ｃ７７］
基地局におけるワイヤレス通信の方法であって、
ユーザ機器（ＵＥ）が最大許容ばく露量（ＭＰＥ）測定を実行し得るセル固有リソースを構成することと、
前記ＭＰＥ測定のための前記セル固有リソースの使用を制御することと
を備える、方法。
［Ｃ７８］
前記セル固有リソースは、ランダムアクセスチャネル（ＲＡＣＨ）リソース、ビーム障害回復リソース、又はスケジューリング要求リソースのうちの少なくとも１つを備える、Ｃ７７に記載の方法。
［Ｃ７９］
前記セル固有リソースの使用を制御することは、アップリンクリソースが前記ＭＰＥ測定のために使用され得るというインジケーションを送信することを含む、Ｃ７７に記載の方法。
［Ｃ８０］
前記セル固有リソースの使用を制御することは、アップリンクリソースが前記ＭＰＥ測定のために使用されないことがあるというインジケーションを送信することを含む、Ｃ７７に記載の方法。
［Ｃ８１］
前記セル固有リソースの使用を制御することは、アップリンクリソースが前記ＭＰＥ測定のために使用され得るときを統制するパラメータを設定することを含む、Ｃ７７に記載の方法。
［Ｃ８２］
前記セル固有リソースの使用を制御することは、前記ＭＰＥ測定のためのアップリンクリソースの使用に関するインジケーションを送信することを含み、前記インジケーションは、マスタ情報ブロック（ＭＩＢ）、システム情報ブロック（ＳＩＢ）、媒体アクセス制御（ＭＡＣ）制御要素（ＣＥ）、ダウンリンク制御情報（ＤＣＩ）、又は無線リソース制御（ＲＲＣ）メッセージのうちの少なくとも１つ中にパラメータを備え、前記インジケーションは、前記ＭＰＥ測定のための前記アップリンクリソースの使用を制限する、Ｃ７７に記載の方法。
［Ｃ８３］
前記セル固有リソースは、ランダムアクセスチャネル（ＲＡＣＨ）リソースを備え、前記方法は、
ＲＡＣＨ負荷を測定することを更に備え、前記インジケーションは、前記ＲＡＣＨ負荷に基づいて、前記ＭＰＥ測定のための前記ＲＡＣＨリソースの使用を制限する、Ｃ８２に記載の方法。
［Ｃ８４］
前記ＭＰＥ測定のためのライズオーバサーマル閾値を構成すること
を更に備える、Ｃ７７に記載の方法。
［Ｃ８５］
ＭＰＥ測定のための前記ＵＥからの送信が前記基地局において受信され得る最大受信電力を構成すること
を更に備える、Ｃ７７に記載の方法。
［Ｃ８６］
前記セル固有リソースの使用を制御することは、前記ＵＥに前記ＭＰＥ測定のためのスケジュールされた期間を送信することを含む、Ｃ７７に記載の方法。
［Ｃ８７］
前記ＭＰＥ測定のための前記スケジュールされた期間は、前記ＵＥのための保留中のアップリンクデータ送信に基づく、Ｃ８６に記載の方法。
［Ｃ８８］
前記ＭＰＥ測定を実行するために、複数のＵＥをグループ化すること
を更に備える、Ｃ７７に記載の方法。
［Ｃ８９］
前記グループ化は、異なる経路損失を有する前記複数のＵＥに基づく、Ｃ８８に記載の方法。
［Ｃ９０］
前記セル固有リソースは、ダウンリンクリソースを備える、Ｃ７７に記載の方法。
［Ｃ９１］
基地局におけるワイヤレス通信のための装置であって、
メモリと、
前記メモリに結合され、
ユーザ機器（ＵＥ）が最大許容ばく露量（ＭＰＥ）測定を実行し得るセル固有リソースを構成することと、
前記ＭＰＥ測定のための前記セル固有リソースの使用を制御することと
を行うように構成された少なくとも１つのプロセッサと
を備える、装置。
［Ｃ９２］
前記セル固有リソースは、ランダムアクセスチャネル（ＲＡＣＨ）リソース、ビーム障害回復リソース、又はスケジューリング要求リソースのうちの少なくとも１つを備える、Ｃ９１に記載の装置。
［Ｃ９３］
前記セル固有リソースの使用を制御することは、アップリンクリソースが前記ＭＰＥ測定のために使用され得るというインジケーションを送信することを含む、Ｃ９１に記載の装置。
［Ｃ９４］
前記セル固有リソースの使用を制御することは、アップリンクリソースが前記ＭＰＥ測定のために使用されないことがあるというインジケーションを送信することを含む、Ｃ９１に記載の装置。
［Ｃ９５］
前記セル固有リソースの使用を制御することは、アップリンクリソースが前記ＭＰＥ測定のために使用され得るときを統制するパラメータを設定することを含む、Ｃ９１に記載の装置。
［Ｃ９６］
前記セル固有リソースの使用を制御することは、前記ＭＰＥ測定のためのアップリンクリソースの使用に関するインジケーションを送信することを含み、前記インジケーションは、マスタ情報ブロック（ＭＩＢ）、システム情報ブロック（ＳＩＢ）、媒体アクセス制御（ＭＡＣ）制御要素（ＣＥ）、ダウンリンク制御情報（ＤＣＩ）、又は無線リソース制御（ＲＲＣ）メッセージのうちの少なくとも１つ中にパラメータを備え、前記インジケーションは、前記ＭＰＥ測定のための前記アップリンクリソースの使用を制限する、Ｃ９１に記載の装置。
［Ｃ９７］
前記セル固有リソースは、ランダムアクセスチャネル（ＲＡＣＨ）リソースを備え、前記少なくとも１つのプロセッサは、
ＲＡＣＨ負荷を測定することを行うように更に構成され、前記インジケーションは、前記ＲＡＣＨ負荷に基づいて、前記ＭＰＥ測定のための前記ＲＡＣＨリソースの使用を制限する、Ｃ９６に記載の装置。
［Ｃ９８］
前記少なくとも１つのプロセッサは、
前記ＭＰＥ測定のためのライズオーバサーマル閾値を構成すること
を行うように更に構成される、Ｃ９１に記載の装置。
［Ｃ９９］
前記少なくとも１つのプロセッサは、
ＭＰＥ測定のための前記ＵＥからの送信が前記基地局において受信され得る最大受信電力を構成すること
を行うように更に構成される、Ｃ９１に記載の装置。
［Ｃ１００］
前記セル固有リソースの使用を制御することは、前記ＵＥに前記ＭＰＥ測定のためのスケジュールされた期間を送信することを含む、Ｃ９１に記載の装置。
［Ｃ１０１］
前記ＭＰＥ測定のための前記スケジュールされた期間は、前記ＵＥのための保留中のアップリンクデータ送信に基づく、Ｃ１００に記載の装置。
［Ｃ１０２］
前記少なくとも１つのプロセッサは、
前記ＭＰＥ測定を実行するために、複数のＵＥをグループ化すること
を行うように更に構成される、Ｃ９１に記載の装置。
［Ｃ１０３］
前記グループ化は、異なる経路損失を有する前記複数のＵＥに基づく、Ｃ１０２に記載の装置。
［Ｃ１０４］
前記セル固有リソースは、ダウンリンクリソースを備える、Ｃ９１に記載の装置。
［Ｃ１０５］
基地局におけるワイヤレス通信のための装置であって、
ユーザ機器（ＵＥ）が最大許容ばく露量（ＭＰＥ）測定を実行し得るセル固有リソースを構成するための手段と、
前記ＭＰＥ測定のための前記セル固有リソースの使用を制御するための手段と
を備える、装置。
［Ｃ１０６］
前記セル固有リソースは、ランダムアクセスチャネル（ＲＡＣＨ）リソースを備え、前記装置は、
ＲＡＣＨ負荷を測定するための手段を更に備え、前記セル固有リソースの前記使用を制御することは、前記ＲＡＣＨ負荷に基づいて、前記ＭＰＥ測定のための前記ＲＡＣＨリソースの使用を制限する、Ｃ１０５に記載の装置。
［Ｃ１０７］
前記ＭＰＥ測定のためのライズオーバサーマル閾値を構成するための手段
を更に備える、Ｃ１０５に記載の装置。
［Ｃ１０８］
ＭＰＥ測定のための前記ＵＥからの送信が前記基地局において受信され得る最大受信電力を構成するための手段
を更に備える、Ｃ１０５に記載の装置。
［Ｃ１０９］
前記ＭＰＥ測定を実行するために、複数のＵＥをグループ化するための手段
を更に備える、Ｃ１０５に記載の装置。
［Ｃ１１０］
基地局におけるワイヤレス通信のためのコンピュータ実行可能コードを記憶するコンピュータ可読媒体であって、前記コンピュータ実行可能コードは、
ユーザ機器（ＵＥ）が最大許容ばく露量（ＭＰＥ）測定を実行し得るセル固有リソースを構成することと、
前記ＭＰＥ測定のための前記セル固有リソースの使用を制御することと
を行うためのコードを備える、コンピュータ可読媒体。
［Ｃ１１１］
前記セル固有リソースは、ランダムアクセスチャネル（ＲＡＣＨ）リソースを備え、
ＲＡＣＨ負荷を測定することを行うためのコードを更に備え、前記ＭＰＥ測定のための前記ＲＡＣＨリソースの使用は、前記ＲＡＣＨ負荷に基づいて制限される、Ｃ１１０に記載のコンピュータ可読媒体。
［Ｃ１１２］
前記ＭＰＥ測定のためのライズオーバサーマル閾値を構成すること
を行うためのコードを更に備える、Ｃ１１０に記載のコンピュータ可読媒体。
［Ｃ１１３］
ＭＰＥ測定のための前記ＵＥからの送信が前記基地局において受信され得る最大受信電力を構成すること
を行うためのコードを更に備える、Ｃ１１０に記載のコンピュータ可読媒体。
［Ｃ１１４］
前記ＭＰＥ測定を実行するために、複数のＵＥをグループ化すること
を行うためのコードを更に備える、Ｃ１１０に記載のコンピュータ可読媒体。